(57)【要約】【課題】漏れ防止性が高く、装着感が良好な吸収性物品を提供すること。【解決手段】吸収性物品１は、本体４の長手方向左右両側部の肌当接面側に、その長手方向の全長に亘って伸縮性シート７１が配されて一対の立体ガード７，７が形成されている。伸縮性シート７１は、その本体長手方向の全長に亘って本体４の長手方向側縁から本体幅方向外方に延出されて延出部７５を形成しており、該延出部７５は、その本体長手方向の全長に亘って伸縮性シート７１の非肌当接面側に折り返されて折り返し部７６を形成している。折り返し部７６は、２本の折曲線Ｌ１，Ｌ２それぞれの該折曲線を含むその近傍部７Ｌ１，７Ｌ２が、吸収性物品１の構成部材の何れにも接合されておらず、折り返し部７６におけるこれら２つの近傍部に挟まれた部分７Ｃは、少なくとも本体４を長手方向に二分する仮想直線ＣＬを含むその近傍部が、防漏層３に接合されて中央接合部７８を形成している。【選択図】図１
2009136600.tif 000002
【特許請求の範囲】
【請求項１】
液保持性の吸収層及び液不透過性の防漏層を有する縦長の本体を備え、該本体を長手方向に二分する仮想直線と平行で且つ該仮想直線を挟む２本の折曲線に沿って３つ折りされる吸収性物品であって、
前記本体の長手方向左右両側部それぞれの肌当接面側に、その長手方向に沿って存在する伸縮性シートで形成された一対の立体ガードを有し、
前記伸縮性シートは本体長手方向に沿って非肌当接面側に折り返されて折り返し部を有しており、
前記折り返し部は、前記２本の折曲線上において吸収性物品の構成部材の何れにも接合されない非接合部と、本体長手方向に沿った２つの該非接合部に挟まれた部分の前記仮想直線を含む領域において前記防漏層に接合された中央接合部とを有している吸収性物品。
【請求項２】
前記折り返し部の本体長手方向の両端部の少なくとも何れか一方は、前記吸収性物品の構成部材の何れにも接合されていない請求項１記載の吸収性物品。
【請求項３】
前記吸収性物品の前記中央接合部の形成領域の幅が、６５ｍｍ以下である請求項１又は２記載の吸収性物品。
【発明の詳細な説明】
【技術分野】
【０００１】
本発明は、未使用時には長手方向に３つ折りされた状態で保管され、使用時には下着に装着して使用される失禁パッド等の吸収性物品に関する。
【背景技術】
【０００２】
失禁パッド、生理用ナプキン等の吸収性物品においては、液保持性の吸収層及び液不透過性の防漏層を有する縦長の本体を備えたものが広く用いられている。このような吸収性物品には、高い漏れ防止性や装着時に違和感の無い良好な装着感等が要求されており、種々提案がなされている。
【０００３】
例えば、特許文献１には、前記本体の長手方向左右両側部の肌当接面側に、前記吸収層と離隔された中空のループを有するループ部材（立体ガード）が形成された吸収性物品が記載されている。このループ部材は、吸収層の長手方向側縁から幅方向外方に延出する延出部を有しており、該延出部が該吸収層の側縁部に環状に戻ることにより中空のループが形成されている。ループ部材の延出部は、該延出部の長手方向の全長に亘ってバックシート等の他の部材に接合されている。
しかし、特許文献１に記載の吸収性物品は、前記ループ部材の装着者の肌に対する接触面積が小さいため、漏れ防止性が充分とは言えず、また、装着時に装着者が違和感を覚えるおそれがあった。
【０００４】
また、一般に、失禁パッドや生理用ナプキン等の吸収性物品は、通常、未使用時には長手方向に３つ折りされて保管されており、この３つ折り状態を展開してから使用されるところ、例えば立体ガードを備えた吸収性物品が長期に亘って３つ折り状態で保管された場合、この保管中に立体ガードを構成する弾性部材の変質等が生じ、これに起因して、使用時における吸収性物品の立体形状が保管前後で変化してしまうことがある。斯かる吸収性物品の立体形状の変化は、吸収性物品の性能に悪影響を及ぼし、本来奏されるべき所望の漏れ防止効果や装着感が得られないという問題があった。
３つ折り状態で長期間保管された後に使用する場合であっても、高い漏れ防止性を示し、良好な装着感を提供し得る吸収性物品は未だ提供されていない。
【０００５】
【特許文献１】特表平７−５０１７２３号公報
【発明の開示】
【発明が解決しようとする課題】
【０００６】
従って本発明の目的は、漏れ防止性が高く、装着感が良好な吸収性物品を提供することにある。
【課題を解決するための手段】
【０００７】
本発明は、液保持性の吸収層及び液不透過性の防漏層を有する縦長の本体を備え、該本体を長手方向に二分する仮想直線と平行で且つ該仮想直線を挟む２本の折曲線に沿って３つ折りされる吸収性物品であって、前記本体の長手方向左右両側部それぞれの肌当接面側に、その長手方向に沿って配された伸縮性シートにより形成された一対の立体ガードを有し、前記伸縮性シートは本体長手方向に沿って非肌当接面側に折り返されて折り返し部を有しており、前記折り返し部は、前記２本の折曲線上において吸収性物品の構成部材の何れにも接合されない非接合部と、本体長手方向に沿った２つの該非接合部に挟まれた部分の前記仮想直線を含むその領域において折り返し部が前記防漏層に接合された中央接合部とを有している吸収性物品を提供することにより、前記目的を達成したものである。
【発明の効果】
【０００８】
本発明の吸収性物品は、漏れ防止性が高く、違和感の無い良好な装着感を提供することができる。また、本発明の吸収性物品は、３つ折り状態で長期間保管された場合であっても、使用時における立体形状が保管前後で変化し難いため、使用時には所望の漏れ防止効果及び装着感が得られる。
【発明を実施するための最良の形態】
【０００９】
以下、本発明の吸収性物品を、その好ましい実施形態に基づき図面を参照して説明する。図１は、本発明の一実施形態としての失禁パッドの斜視図、図２は、図１のＩ−Ｉ線断面模式図、図３は、図１のＩＩ−ＩＩ線断面模式図、図４は、図１に示す失禁パッドを包装材と共に面状に広げた状態における肌当接面側を示す平面図である。尚、本明細書において、肌当接面は、吸収性物品装着時に装着者の肌側に向けられる面であり、非肌当接面は、吸収性物品装着時に下着側（装着者の肌側とは反対側）に向けられる面である。
【００１０】
本実施形態の失禁パッド１は、図１〜図４に示すように、液保持性の吸収層２及び液不透過性の防漏層３を有する縦長の本体４を備え、図５に示すように、本体幅方向Ｓに延びる互いに平行な２本の折曲線Ｌ１，Ｌ２に沿って３つ折りされる失禁パッドである。２本の折曲線Ｌ１，Ｌ２は、図４に示すように、本体４を長手方向Ｌに二分する仮想直線ＣＬと平行で且つ該仮想直線ＣＬを挟むように配されている。本実施形態においては、折曲線Ｌ１とＬ２から等距離の位置に仮想直線ＣＬが位置している。
尚、本明細書において、長手方向は、吸収性物品又は各種部材の長辺方向に沿う方向であり、幅方向は、該長手方向と直交する方向である。本体長手方向Ｌは、本体４の長辺方向と平行な方向であり、本体幅方向Ｓは、本体長手方向Ｌと直交する方向である。
【００１１】
吸収層２は液保持性の吸収体２２と、該吸収体２２の肌当接面を被覆する液透過性の表面シート２１とを含んで構成されており、防漏層３は裏面シート３１により形成されている。吸収体２２は、解繊パルプ等の繊維集合体に吸収性ポリマーを保持させたもので、縦長に形成されている。吸収体２２は、全体が被覆シート２３で被覆されており、これにより、吸収体の保型性及び吸収体を構成する吸収性ポリマー等の脱落防止等が図られている。
【００１２】
表面シート２１は、失禁パッド１の肌当接面を形成し、裏面シート３１は、失禁パッド１の非肌当接面を形成している。表面シート２１及び裏面シート３１はそれぞれ、吸収体２２の長手方向左右両側縁から外方に延出している。また、表面シート２１及び裏面シート３１はそれぞれ、吸収体２２の長手方向前後両端縁から外方に延出しており、その延出部において、両シート２１，３１の間がヒートシールや接着剤を介して接合されている。
【００１３】
防漏シート３１の非肌当接面には、失禁パッド１を下着に固定するための粘着部５が、粘着剤を塗布することにより設けられている。粘着部５は、失禁パッド１の未使用時においては、図４に示すように、包装材１０によってその全面が被覆されている。
包装材１０は、失禁パッド１よりも長手方向及び幅方向の寸法が大きい矩形形状のシートであり、例えばポリプロピレン、低密度ポリエチレン、ポリビニルアルコール、不織布、紙、あるいはこれらの複合材料等からなり、必要に応じ片面又は両面に剥離処理が施されている。また、包装材１０の幅方向に沿う一方の端縁には、感圧接着式の公知のタブテープ１１が設けられている。
【００１４】
本体４の長手方向中央部における表面シート２１の肌当接面には、本体長手方向Ｌに延びる２本の防漏溝６，６が、本体幅方向Ｓに所定間隔を置いて形成されており、これにより一対の防漏溝６，６を形成している。一対の防漏溝６，６それぞれは、表面シート２１と吸収体２２とが一体的に圧密化されて形成されており、本体幅方向Ｓの内方に向かって凸に湾曲している。一対の防漏溝６，６に挟まれた領域には、失禁パッド１の装着時に装着者の排泄部位に対向する排泄部対向部（図示せず）が存している。該排泄部対向部の位置は、装着者の性別や体型等によって異なるが、通常、一対の防漏溝６，６に挟まれた領域内である。
【００１５】
２本の折曲線Ｌ１，Ｌ２は、失禁パッド１の保管時に該失禁パッド１を３つ折りする際の案内線として機能するものであり、前記排泄部対向部を通らずに、前記排泄部対向部を本体長手方向Ｌの前後から挟むように、本体長手方向Ｌに所定間隔を置いて配置されている。本実施形態における折曲線Ｌ１，Ｌ２は、一対の防漏溝６，６を通らずに、該一対の防漏溝６，６を本体長手方向Ｌの前後から挟むように配置されている。
折曲線Ｌ１，Ｌ２それぞれは、本体４を本体長手方向Ｌに二分する仮想直線ＣＬから本体長手方向Ｌに２０〜７０ｍｍの領域に配置することが好ましい。
【００１６】
失禁パッド１は、本体４の長手方向左右両側部それぞれの肌当接面側に、その長手方向Ｌに沿って存在する伸縮性シート７１で形成された一対の立体ガード７，７を有している。より具体的には、本体４の長手方向左右両側部それぞれの肌当接面側には、その長手方向Ｌの全長に亘って立体ガード形成用の伸縮性シート７１が配されて一対の立体ガード７，７が形成されている。本実施形態における伸縮性シート７１は、所定幅の２枚の帯状のシート材７２，７２と、これら２枚のシート材７２，７２間に挟持された１本又は複数本（本実施形態では３本）の弾性部材７３とを含んで構成されており、２層構造を有している。斯かる構成を有する伸縮性シート７１（立体ガード７）の伸縮方向は、本体長手方向Ｌに一致している。弾性部材７３は、少なくとも前記排泄部対向部に配されており、更に本体長手方向Ｌの前端側及び／又は後端側にも延びて配されていることが好ましい。
【００１７】
本実施形態におけるシート材７２は、伸縮性を有していない不織布から形成されている。但し、シート材７２は、それ自体が伸縮性を有していても良く、この場合、立体ガード形成用の伸縮性シート７１は、弾性部材７３を含まずに、伸縮性を有するシート材７２のみから形成されていても良い。伸縮性を有するシート材としては、例えば、伸縮性を有する材料からなる糸状や細幅の伸縮材料を、伸長した状態で幅方向に１本又は複数本並べて、不織布、フィルム、織物等と接着固定し伸縮性をもたせたシート材；伸縮性のネット状材料等が挙げられる。
【００１８】
伸縮性シート７１は、本体長手方向Ｌに沿って非肌当接面側に折り返されて折り返し部を有している。より具体的には、伸縮性シート７１は、図２及び図３に示すように、その本体長手方向Ｌの全長に亘って本体４の長手方向側縁から本体幅方向外方に延出されて延出部７５を形成している。延出部７５は、その本体長手方向Ｌの全長に亘って伸縮性シート７１の非肌当接面側に折り返されて折り返し部７６を形成している。
【００１９】
更に詳述すると、伸縮性シート７１は、その幅方向一端部７１ａが、該伸縮性シート７１の長手方向の全長に亘って、吸収層２の非肌当接面側に巻き込まれて吸収層２と裏面層３との間（吸収体２２と裏面シート３１との間）に接着剤等の公知の接合手段により接合されている。また、伸縮性シート７１は、その幅方向一端部７１ａ寄りの所定部位が、吸収層２の肌当接面（表面シート２１の肌当接面）に接着剤等の公知の接合手段により接合されており、これにより所定幅の接合部７７が伸縮性シート７１の長手方向の全長に亘って形成されている。このように、伸縮性シート７１は、所定の接合部を介して、伸長された状態で本体４に接合されている。
伸縮性シート７１における接合部７７よりも幅方向外方には、上述した複数本の弾性部材７３が配されて肌当接部が形成されており、該肌当接部（弾性部材配置領域）よりも幅方向外方から、折り返し部７６が存している。本実施形態においては、折り返し部７６は、その先端部７１ｂが本体長手方向中央部において裏面シート３１の肌当接面側の面上に位置するように、吸収層２の非肌当接面側に巻き下げられており、且つ裏面シート３１が本体幅方向外方へ極端に突出していないことから、該先端部７１ｂは本体幅方向Ｓにおいて前記肌当接部と同位置にあるか又は該肌当接部よりも本体幅方向内方に位置する。
【００２０】
伸縮性シート７１の折り返し部７６は、図４に示すように、２本の折曲線Ｌ１，Ｌ２上において失禁パッド１の構成部材の何れにも接合されない非接合部と、本体長手方向Ｌに沿った２つの該非接合部に挟まれた部分（折り返し部７６の長手方向中央部）７Ｃの仮想直線ＣＬを含む領域において防漏層３（裏面シート３１）に接合された中央接合部７８とを有している。より詳細には、伸縮性シート７１の折り返し部７６は、２本の折曲線それぞれの該折曲線を含むその長手方向近傍部７Ｌ１，７Ｌ２において非接合部を形成し、これら２つの非接合部間の少なくとも仮想直線ＣＬを含むその長手方向近傍部において裏面シート３１に接合されて中央接合部７８を形成している。
【００２１】
伸縮性シート７１が伸長された状態で本体４に対して上述の如く接合されていることにより、失禁パッド１は、自然状態（各弾性部材が伸長されていない状態）において、伸縮性シート７１の収縮力により、図１に示すように、本体長手方向Ｌにおいて肌当接面側に凹状に湾曲すると共に、立体ガード７が本体４の肌当接面の上方に向かって起立し、これにより、図２に示すように、中央接合部７８の形成領域の本体長手方向Ｌに沿った両側縁部に、肌当接面側に凸の凸曲面形状部８が形成される。
また、上述したように、折り返し部７６が仮想直線ＣＬを含むその近傍部（長手方向中央部）にて本体４に接合され、且つ該近傍部よりも本体長手方向Ｌの外方に位置する前記近傍部７Ｌ１，７Ｌ２は失禁パッド１の構成部材の何れにも接合されていないことにより、失禁パッド１の自然状態における立体形状が、長手方向中央部（中央接合部７８の形成領域）が幅狭で、該長手方向中央部の前後それぞれに位置する部位が幅広となり、失禁パッド１の長手方向中央部の側部に平面視で幅狭のくびれ部が形成されるようになる。
このような失禁パッド１の自然状態における立体形状は、使用時においてフィット性及び漏れ防止性の向上に有効であると共に、使用前に装着者に、漏れに対する安心感と快適な装着感を想起させるという視覚的な効果を奏するため、好ましい。
【００２２】
凸曲面形状部８は、伸縮性シート７１の表面シート２１との接合部７７と、折り返し部７６との間で、肌当接面側に隆起して形成されており、折り返された相対向する伸縮性シート７１，７１の間に空間が形成されている。このように、本体４の幅方向外方には、吸収層２と離隔された中空のループ構造が形成されている。
凸曲面形状部８の高さ（表面シート２からの高さ）は、漏れ防止効果及び装着感の観点から、好ましくは３〜２５ｍｍ、更に好ましくは５〜２０ｍｍである。尚、ここで言う「高さ」は、失禁パッド１の自然状態における高さである。
【００２３】
また、上述したように、伸縮性シート７１の折り返し部７６における折曲線Ｌ１，Ｌ２を含むその近傍部７Ｌ１，７Ｌ２を、失禁パッド１の構成部材の何れにも接合させないことにより、失禁パッド１が折曲線Ｌ１，Ｌ２に沿って３つ折りされた状態で長期間保管された場合に懸念される、立体形状の変化が効果的に防止され、設計通りの所定の漏れ防止効果や装着感が確実に得られる。このような折り返し部７６の接合形態による作用効果は、下記の＜形状安定性の評価試験＞の結果からも明らかである。
【００２４】
＜形状安定性の評価試験＞
１．実施例の失禁パッドとして、図１〜図４に示す如き失禁パッドを作製した。実施例の失禁パッドは、本体長手方向の長さ２２５ｍｍ、本体長手方向前後端部それぞれにおける本体幅方向の最大長さ８５ｍｍ、本体長手方向中央部における本体幅方向の長さ６５ｍｍ（裏面シートの本体長手方向中央部における本体幅方向の長さ６５ｍｍ）であり、吸収体２２の本体長手方向前後端部それぞれにおける本体幅方向の最大長さ６５ｍｍ、吸収体２２の本体長手方向中央部における本体幅方向の長さ５０ｍｍ、仮想直線ＣＬ上における立体ガード７の凸曲面形状部８の表面シート２１からの高さ（自然状態における高さ）２５ｍｍであった。また、実施例の失禁パッドにおける立体ガード７を構成する弾性部材７３として９４０ｄｔｅｘのウレタン性糸状弾性部材を用い、３本の該糸状弾性部材を、張力を加えていない状態での長さの１．３倍に伸長させた状態で、２枚のシート材７２，７２間に本体幅方向に５ｍｍ間隔で配置し、ホットメルト接着剤で固定した。また、実施例の失禁パッドを図４に示すように面状に広げたときの該パッドの肌当接面側から見た立体ガード７の幅２０ｍｍ、中央接合部７８（折り返し部７６と裏面シート３１との接合部）の本体長方向の長さ３０ｍｍであった。
実施例の失禁パッドを、中央接合部７８よりも本体長手方向外方に存する２本の折曲線Ｌ１，Ｌ２に沿って包装材１０と共に３つ折りし、個包装された失禁パッドを得た。実施例の失禁パッドにおいては、２本の折曲線Ｌ１，Ｌ２それぞれの該折曲線を含むその近傍部７Ｌ１，７Ｌ２（図４参照）において、折り返し部７６は失禁パッドの構成部材の何れにも接合されておらず、該近傍部７Ｌ１，７Ｌ２の本体長手方向に沿った長さは、それぞれ５０ｍｍであった。
【００２５】
２．前記実施例において、失禁パッドの折り返し部７６を、その本体長手方向の全長に亘って裏面シート３１に接合させた以外は前記実施例と同様にして、個包装された失禁パッドを得、これを比較例とした。比較例の失禁パッドにおいては、２本の折曲線Ｌ１，Ｌ２それぞれの該折曲線を含むその近傍部７Ｌ１，７Ｌ２（図４参照）において、折り返し部７６は失禁パッドの構成部材（裏面シート３１）に接合されている。
【００２６】
３．前記実施例及び比較例の個包装された失禁パッドを平坦な面上に載置し、該失禁パッドの上に該失禁パッドよりも大きな面積を有するアクリル板を、該失禁パッドの全面を覆うように載せ、更に該アクリル板の上に１ｋｇの錘を載せ、この状態で室温４０℃の環境下に３日間放置した。放置後、個包装を開封し、１）失禁パッドの本体長手方向中央部における本体幅方向の長さ、及び２）仮想直線ＣＬ上における立体ガード７の凸曲面形状部８の表面シート２１からの高さ、をそれぞれ測定した。
【００２７】
４．上記測定の結果、実施例は、前記１）が６４ｍｍ、前記２）が１５ｍｍであり、比較例は、前記１）が８２ｍｍ、前記２）が８ｍｍであった。３つ折りされる前は、実施例及び比較例の何れも、前記１）は６５ｍｍ、前記２）は２５ｍｍであることから、折り返し部７６が２本の折曲線Ｌ１，Ｌ２上において失禁パッドの構成部材の何れにも接合されていない、実施例は、折り返し部７６が２本の折曲線Ｌ１，Ｌ２上において裏面シート３１に接合されている、比較例に比して、立体形状の形状安定性に優れていることがわかる。
【００２８】
５．また、上記測定後に、実施例及び比較例の失禁パッドそれぞれをショーツのクロッチ部に装着し、装着感の官能評価を行ったところ、実施例１は装着感が良好だったのに対して、比較例１はショーツのクロッチ幅より失禁パッドの立体ガードがはみ出して肌に当たるので違和感が感じられた。
【００２９】
上述した立体形状の形成及び形状安定性の観点から、失禁パッド１の構成部材の何れにも接合されていない、折り返し部７６の前記近傍部７Ｌ１（７Ｌ２）は、折曲線Ｌ１（Ｌ２）から本体長手方向Ｌの前端側及び後端側それぞれに１５〜４０ｍｍ以内、特に２０〜３０ｍｍ以内の部位であることが好ましい。
【００３０】
また、上述した立体形状の形成の観点から、中央接合部７８（折り返し部７６における仮想直線ＣＬを含むその近傍部）は、仮想直線ＣＬから本体長手方向Ｌの前端側及び後端側それぞれに本体４の長手方向の全長の３〜３０％以内、特に８〜２０％以内の領域であることが好ましい。
また、中央接合部７８の本体長手方向Ｌに沿った長さは、好ましくは５〜６０ｍｍ、更に好ましくは１０〜５０ｍｍであり、中央接合部７８の本体幅方向Ｓに沿った長さは、好ましくは１〜１５ｍｍ、更に好ましくは２〜１３ｍｍである。
【００３１】
本実施形態における折り返し部７６は、図４に示すように、仮想直線ＣＬを含むその近傍部（長手方向中央部）のみが他のパッド構成部材（裏面シート３１）と接合されて中央接合部７８を形成しており、折り返し部７６における該近傍部以外の部分は他のパッド構成部材と接合されていない。
このように、伸縮性シート７１の折り返し部７６がその長手方向中央部においてのみ本体４（裏面シート３１）と接合されていることにより、折り返し部７６がその全長に亘って本体４と接合されている場合に比して、伸長状態で本体４に接合された伸縮性シート７１（弾性部材７３）の収縮が阻害されにくくなるため、立体ガード７の起立性が高まる。また、立体ガード７の折り返し部７６側の立ち上がりの起点が、中央接合部７８のみとなるため、上述した自然状態における好ましい立体形状（本体４の長手方向中央部が幅狭で、該長手方向中央部の前後に位置する部位がそれぞれ幅広の立体形状）が、より一層形成され易くなる。
【００３２】
折り返し部７６の本体長手方向Ｌの両前端部７６Ａ，両後端部７６Ｂの少なくとも何れか一方は、失禁パッド１の構成部材の何れにも接合されていないことが好ましい。
本実施形態においては、上述したように、折り返し部７６は、仮想直線ＣＬを含むその近傍部（長手方向中央部）のみが他のパッド構成部材（裏面シート３１）と接合されており、折り返し部７６における該近傍部以外の部分は他のパッド構成部材と接合されておらず、従って、折り返し部７６の本体長手方向Ｌの両前後端部７６Ａ，７６Ｂとも、失禁パッド１の構成部材の何れにも接合されていない。尚、両前端部７６Ａは、装着者の前側（腹側）に配され且つ本体４の長手方向左右両側に存在する、一対の折り返し部７６それぞれの長手方向前端を含むその近傍であり、後端部７６Ｂは、装着者の後側（背側）に配され且つ本体４の長手方向左右両側に存在する、一対の折り返し部７６それぞれの長手方向後端を含むその近傍である。
【００３３】
失禁パッド１の構成部材の何れにも接合されていない、折り返し部７６の本体長手方向Ｌの端部は、失禁パッド１の使用状態（自然状態）において、伸縮性シート７１の収縮力により、折り返される前の状態に戻ろうとし、これにより、図３に示すように、その先端部７１ｂが本体４の幅方向Ｓの外方に位置するようになる。この結果、失禁パッド１の構成部材の何れにも接合されていない、折り返し部７６の本体長手方向Ｌの端部は、肌当接部として機能する弾性部材７３の配置領域と共に、パッド装着者の肌に当接するようになり、これにより、特に失禁パッド１の当該長手方向端部における漏れ防止性及び装着感の更なる向上を図ることができる。
また、特に本実施形態のように、折り返し部７６の本体長手方向Ｌの両前後端部７６Ａ，７６Ｂの何れもがパッド構成部材に接合されていない場合には、自然状態において図１に示す如き立体形状、即ち、本体４の長手方向中央部が幅狭で、該長手方向中央部の前後に位置する部位がそれぞれ幅広の立体形状が形成されるため、パッド装着前に装着者に漏れに対する安心感と快適な装着感を想起させ、パッド装着時に良好なフィット性及び漏れ防止性を奏することができる。
【００３４】
上述した、折り返し部７６の本体長手方向Ｌの両前端部７６Ａ，両後端部７６Ｂをパッド構成部材の何れにも接合させないことによる効果を、より一層確実に奏させるようにする観点から、折り返し部７６における、該折り返し部７６の長手方向前端（後端）から本体長手方向Ｌの内方に該折り返し部７６の長手方向の全長の３０〜４８％以内、特に４０〜４６％以内の部位は、パッド構成部材の何れにも接合しないことが好ましい。尚、本明細書において「端部」とは端とその近傍を含む範囲を指し、端とは部材、製品の先端を意味する。
【００３５】
尚、折り返し部７６の本体長手方向Ｌの前端部７６Ａ，後端部７６Ｂにおける接合形態としては、１）両前後端部７６Ａ，７６Ｂのうち、両前端部７６Ａのみが失禁パッド１の構成部材の何れにも接合されていない形態〔この場合、両後端部７６Ｂは失禁パッド１の構成部材（裏面シート３１）に接合される〕でも良く、２）両前後端部７６Ａ，７６Ｂのうち、両後端部７６Ｂのみが失禁パッド１の構成部材の何れにも接合されていない形態〔この場合、両前端部７６Ａは失禁パッド１の構成部材（裏面シート３１）に接合される〕でも良い。
前記１）の形態は、主として、女性用失禁パッドにおいて有効であり、前記２）の形態は、主として、男性用及び女性用失禁パッドにおいて有効である。
【００３６】
失禁パッド１の中央接合部７８の形成領域（長手方向中央部）の幅Ｗ１（図１参照）は、好ましくは６５ｍｍ以下、更に好ましくは４５〜６５ｍｍである。失禁パッド１が装着される下着のクロッチ部（股下部）の幅は、通常６５ｍｍ以下であるため、幅Ｗ１を６５ｍｍ以下とすることにより、装着時にクロッチ部から失禁パッドがはみ出さず、違和感の無い装着感が得られるようになる。
【００３７】
失禁パッド１の中央接合部７８の形成領域の幅Ｗ１が自然状態で６５ｍｍ以下となっているのは、上述したように折り返し部７６における仮想直線ＣＬを含むその近傍部が裏面シート３１（裏面層３）に接合されていることに加えて、更に、裏面シート３１における該仮想直線ＣＬを含むその近傍部（中央接合部７８の形成領域）の幅が６５ｍｍ以下となっていることによる。
即ち、失禁パッド１の自然状態においては、伸縮性シート７１の収縮力により、中央接合部７８の形成領域では該中央接合部７８を起点として立体ガード７が立ち上がるため、前記幅Ｗ１は、中央接合部７８が形成されている裏面シート３１の幅に略等しくなる。従って、裏面シート３１における該形成領域の幅を６５ｍｍ以下とすることで、幅Ｗ１を６５ｍｍ以下とすることが可能となる。本実施形態の失禁パッド１は、本体４（裏面シート３１）の幅方向の長さが長手方向の全長に亘って６５ｍｍで一定している。
【００３８】
尚、上述したように、折り返し部７６の本体長手方向Ｌの端部（前端部７６Ａ及び／又は後端部７６Ｂ）をパッド構成部材の何れにも接合させない場合、該端部においては、失禁パッド１の自然状態において、立体ガード７は充分に立ち上がらず、図１及び図３に示すように本体幅方向Ｓの外方に開くため、失禁パッド１の該端部が位置する領域の幅は、裏面シート３１の幅（前記幅Ｗ１）よりも大きくなる。失禁パッド１の該端部が位置する領域の幅をＷ２とした場合（図１参照）、Ｗ１に対するＷ２の比（Ｗ２／Ｗ１）は、好ましくは１．２〜１．９、更に好ましくは１．３〜１．７である。幅Ｗ１，Ｗ２は、失禁パッド１の自然状態（図１に示す状態）において、その肌当接面側（表面シート２１側）について測定した値である。
【００３９】
前記幅Ｗ１を確実に６５ｍｍ以下にする観点から、裏面シート３１（裏面層３）は剛性が高いことが好ましい。裏面シート３１の引っ張り試験機で測定した１０％伸張時の強度で規定される剛性は、好ましくは２００ｃＮ／ｃｍ以上、更に好ましくは２５０〜５００ｃＮ／ｃｍである。剛性を評価するシートサンプルは、失禁パッドの長手方向に幅１０ｍｍにカットする。引っ張り試験機のチャック間距離５０ｍｍ、引っ張り速度３０ｃｍ／ｍｉｎで引っ張り、伸度１０％のときの強度を剛性とする。
【００４０】
表面シート２１、裏面シート３１、吸収体２２としては、それぞれ当該技術分野において従来用いられている各種のものを特に制限なく用いることができる。表面シート２１としては、例えば、不織布や開孔フィルム等の各種液透過性のシート材を用いることができる。裏面シート３１は、液不透過性でも液透過性でも良く、例えば、透湿性を有しない樹脂フィルムや、微細孔を有し、透湿性を有する樹脂フィルム、撥水不織布等の不織布、これらと他のシートとのラミネート体等を用いることができる。吸収体２２は、吸収性ポリマーを含んでおらず、解繊パルプ等の親水性繊維からなる繊維集合体のみから形成されていても良い。吸収体２２を被覆する被覆シート２３としては、例えば親水性の繊維シート、穿孔フィルム等が用いられる。この親水性の繊維シートとしては、例えばティッシュペーパー等の紙や各種不織布を用いることができる。粘着部５形成用の粘着剤としては、例えばホットメルト粘着剤を用いることができる。
【００４１】
本実施形態の失禁パッド１は、図４に示すように粘着部５を介して包装材１０が接合され且つ面状に展開された状態から、図５に示すように包装材１０と共に２本の折曲線Ｌ１，Ｌ２に沿って３つに折り畳まれ、３つ折りされた状態で消費者に提供される。通常、失禁パッド１は、図５に示すように包装材１０と共に長手方向に３つに折り畳まれた後、失禁パッド１の両側縁から幅方向外方に延出する包装材１０の両側部を、エンボス加工等の公知の接合方法により封止すると共に、包装材１０の長手方向端部をタブテープ１１で所定箇所に止着することにより、コンパクトな包装構造（図示せず）とされる。
尚、図４に示す失禁パッド１の展開状態においては、自然状態において図３に示す如き本体幅方向Ｓの外方に開いていた伸縮性シート７１の折り返し部７６は、該伸縮性シート７１の非肌当接面側に折り返されている。
【００４２】
本実施形態の失禁パッド１は、折り返し部７６が仮想直線ＣＬを含むその近傍部（長手方向中央部）のみにおいて本体４（裏面シート３１）に接合されているため、自然状態あるいは使用状態における立体形状が、長手方向中央部（中央接合部７８の形成領域）が幅狭で且つ該長手方向中央部の前後それぞれに位置する部位が幅広となる。このため、フィット性及び漏れ防止性に優れると共に、使用前において、前記立体形状を見た使用者に、漏れに対する安心感及び快適な装着感を想起させることができる。
また、折り返し部７６における折曲線Ｌ１，Ｌ２を含むその近傍部７Ｌ１，７Ｌ２が、失禁パッド１の構成部材の何れにも接合されていないことにより、失禁パッド１が折曲線Ｌ１，Ｌ２に沿って３つ折りされた状態で長期間保管された場合であっても、自然状態あるいは使用状態においては前記立体形状を形成することができ、所定の効果を奏することができる。
【００４３】
また、失禁パッド１の中央接合部７８の形成領域の幅Ｗ１を６５ｍｍ以下とした場合、即ち、折り返し部７６の仮想直線ＣＬを含むその近傍部を裏面シート３１（裏面層３）に接合させて中央接合部７８を形成し、且つ該裏面シート３１の該仮想直線ＣＬを含むその近傍部（裏面シート３１における中央接合部７８の形成領域）の幅を６５ｍｍ以下とした場合には、装着時に下着のクロッチ部から失禁パッド１がはみ出さず、違和感の無い装着感が得られる。
【００４４】
以上、本発明をその好ましい実施形態に基づき説明したが、本発明は前記実施形態に制限されない。
例えば、前記実施形態では、折り返し部７６における仮想直線ＣＬを含むその近傍部は、図２に示すようにその先端部７１ｂが、裏面シート３１の肌当接面側に接合されていたが、裏面シート３１（防漏層３）の非肌当接面側に接合されていても良い。
また、前記実施形態では、伸縮性シート７１は、所定幅の２枚の帯状のシート材７２，７２を重ね合わせて構成されていたが、１枚の帯状のシート材を二つ折りしたものから構成されていても良い。
また、前記実施形態では、本発明の吸収性物品の適用例の一つとして失禁パッドを挙げたが、例えばパンティライナー、軽失禁ライナー、生理用ナプキン等にも適用できる。
【図面の簡単な説明】
【００４５】
【図１】図１は、本発明の一実施形態である失禁パッドの自然状態における肌当接面側を示す斜視図である。
【図２】図２は、図１のＩ−Ｉ線断面を模式的に示す断面図である。
【図３】図３は、図１のＩＩ−ＩＩ線断面を模式的に示す断面図である。
【図４】図４は、図１に示す失禁パッドを包装材と共に面状に広げた状態における肌当接面側を示す平面図である。
【図５】図５は、図１に示す失禁パッドを包装材と共に３つ折りする過程を示す斜視図である。
【符号の説明】
【００４６】
１  失禁パッド
２  吸収層
２１  表面シート
２２  吸収体
３  裏面層
３１裏面シート
４  本体
５  粘着部
６  防漏溝
７  立体ガード
７１  伸縮性シート
７２  シート材
７３  弾性部材
７５  延出部
７６  折り返し部
７７  伸縮性シートの表面シートとの接合部
７８  中央接合部
ＣＬ  本体を長手方向に二分する仮想直線
Ｌ１，Ｌ２  折曲線
７Ｌ１，７Ｌ２  折り返し部における折曲線を含むその近傍部
７Ｃ  折り返し部における２つの近傍部に挟まれた部分
８  凸曲面形状部
１０  包装材
【図１】
2009136600.tif 000003
【図２】
2009136600.tif 000004
【図３】
2009136600.tif 000005
【図４】
2009136600.tif 000006
【図５】
2009136600.tif 000007